【手続補正書】
【提出日】平成19年6月8日(2007.6.8)
【手続補正１】
【補正対象書類名】特許請求の範囲
【補正対象項目名】全文
【補正方法】変更
【補正の内容】
【特許請求の範囲】
【請求項１】
複数の撮影シーンにそれぞれ対応する複数の撮影条件が記憶された記憶手段と、
前記複数の撮影シーンのいずれかを、画面上での選択操作により利用者に選択させる撮影シーン選択手段と、
撮影時において、前記撮影シーン選択手段により選択された撮影シーンに対応する撮影条件を設定する撮影条件設定手段と、
前記撮影条件設定手段により設定された撮影条件に基づき撮影された撮影画像、及び当該撮影条件に対応する前記撮影シーンを示す種別情報を互いに関連付けて記録する画像記録手段と、
検索時において、前記撮影シーン選択手段により選択された撮影シーンを検索条件として設定する検索条件設定手段と、
前記検索条件設定手段により検索条件として設定された撮影シーンを示す種別情報が関連付けて記録されている撮影画像を前記画像記録手段に記憶されている撮影画像の中から検索する検索手段と
を備えたことを特徴とするカメラ装置。
【請求項２】
前記撮影シーン選択手段は、前記複数の撮影シーンにそれぞれ対応する複数の見本画像または説明文を画面上に表示させ、その内の任意の見本画像または説明文を選択させることにより、任意の撮影シーンを使用者に選択させることを特徴とする請求項１記載のカメラ装置。
【請求項３】
前記撮影シーン選択手段は、撮影時と検索時とで同じ見本画像または説明文を、その並び順を変えて画面上に表示させることを特徴とする請求項２記載のカメラ装置。
【請求項４】
前記撮影シーン選択手段は、前記画像記録手段に記録されている撮影画像の枚数を前記種別情報毎に取得する枚数取得手段を含み、前記記憶手段に記憶されている複数の見本画像または説明文を、前記枚数取得手段によって取得された種別情報毎の枚数順に画面上に表示させ、その内の任意の見本画像または説明文を選択させることにより、任意の撮影シーンを使用者に選択させることを特徴とする請求項２又は３記載のカメラ装置。
【請求項５】
前記画像記録手段には前記撮影画像に関連付けて当該撮影画像の撮影日を示す日付情報が記録され、
前記撮影シーン選択手段は、前記画像記録手段に記録されている撮影画像の枚数を前記種別情報毎に、かつ前記日付情報により示される撮影日に基づき所定の期間毎に取得する枚数取得手段を含み、この枚数取得手段によって取得された枚数を、前記記憶手段に記憶されている複数の見本画像または説明文を行又は列の一方に配置しかつ前記所定の期間毎の撮影期間を行又は列の他方に配置した表内の対応する位置に配置した選択画面を表示させ、その選択画面において任意の見本画像または説明文を選択させることにより、任意の撮影シーンを使用者に選択させることを特徴とする請求項２又は３記載のカメラ装置。
【請求項６】
前記撮影シーン選択手段は、枚数取得手段によって取得された枚数を前記選択画面の前記表内に視覚的に表示させることを特徴とする請求項５記載のカメラ装置。
【請求項７】
前記撮影シーン選択手段は、前記選択画面における表内の任意の位置を選択させることにより、任意の撮影シーンと共に任意の撮影期間を使用者に選択させ、
前記検索手段は、撮影シーン選択手段により選択させた撮影シーンを示す種別情報と撮影期間に該当する撮影日を示す日付情報とが関連付けて記録されている撮影画像を前記画像記録手段に記憶されている撮影画像の中から検索することを特徴とする請求項５又は６記載のカメラ装置。
【請求項８】
前記複数の見本画像がそれぞれ対応する撮影シーンであって互いに類似する複数種の撮影シーンにそれぞれ対応する複数の代表見本画像を記憶する代表見本画像記憶手段を備え、
前記撮影シーン選択手段は、前記代表見本画像記憶手段に記憶されている複数の代表見本画像を画面上に表示させ、その内の任意の代表見本画像を選択させることにより、複数種の撮影シーンを使用者に選択させ、
前記検索手段は、撮影シーン選択手段により選択させた複数種の撮影シーンをそれぞれ示す種別情報が関連付けて記録されている撮影画像を前記画像記録手段に記憶されている撮影画像の中から検索することを特徴とする請求項２記載のカメラ装置。
【請求項９】
前記代表見本画像記憶手段には複数の代表見本画像と対応して、各代表見本画像が対応する互いに類似する複数種の撮影シーンを包含する範疇の撮影シーンを説明する説明文が記憶され、
前記撮影シーン選択手段は、前記代表見本画像記憶手段に記憶されている複数の代表見本画像及び各代表見本画像に対応する説明文を前記表示手段に表示させ、その内の任意の代表見本画像を選択させることにより、複数種の撮影シーンを使用者に選択させることを特徴とする請求項８記載のカメラ装置。
【請求項１０】
カメラ装置における撮影画像の検索方法であって、
複数の撮影シーンのいずれかを、画面上での選択操作により利用者に選択させる撮影シーン選択工程と、
撮影時において、前記撮影シーン選択工程により選択された撮影シーンに対応する撮影条件を設定する撮影条件設定工程と、
前記撮影条件設定工程により設定された撮影条件に基づき撮影された撮影画像、及び当該撮影条件に対応する前記撮影シーンを示す種別情報を互いに関連付けて記録する画像記録工程と、
検索時において、前記撮影シーン選択工程により選択された撮影シーンを検索条件として設定する検索条件設定工程と、
前記検索条件設定工程により検索条件として設定された撮影シーンを示す種別情報が関連付けて記録されている撮影画像を前記画像記録工程により記録された撮影画像の中から検索する検索工程とを含むことを特徴とする画像検索方法。
【請求項１１】
カメラ装置が有するコンピュータに、
複数の撮影シーンのいずれかを、画面上での選択操作により利用者に選択させる撮影シーン選択処理と、
撮影時において、前記撮影シーン選択処理により選択された撮影シーンに対応する撮影条件を設定する撮影条件設定処理と、
前記撮影条件設定処理により設定された撮影条件に基づき撮影された撮影画像、及び当該撮影条件に対応する前記撮影シーンを示す種別情報を互いに関連付けて記録する画像記録処理と、
検索時において、前記撮影シーン選択処理により選択された撮影シーンを検索条件として設定する検索条件設定処理と、
前記検索条件設定処理により検索条件として設定された撮影シーンを示す種別情報が関連付けて記録されている撮影画像を前記画像記録処理により記録された撮影画像の中から検索する検索処理とを実行させるためのプログラム。
【請求項１２】
画像記録手段に記録されている、撮影により取得した複数の撮影画像の中から所望の撮影画像を検索する画像検索装置において、
予め用意されている複数種の撮影シーンの中から任意の撮影シーンを使用者に選択させる撮影シーン選択手段と、
この撮影シーン選択手段により選択させた撮影シーンを示す種別情報であって、各々の撮影画像の撮影時に、予め複数用意されている中から見本画像または説明文を介して選択された撮影時の撮影条件に対応する所定の撮影シーンを示す種別情報が関連付けて記録されている撮影画像を、前記画像記録手段に記憶されている複数の撮影画像の中から検索する検索手段と
を備えたことを特徴とする画像検索装置。
【手続補正２】
【補正対象書類名】明細書
【補正対象項目名】０００５
【補正方法】変更
【補正の内容】
【０００５】
前記課題を解決するため請求項１の発明にあっては、複数の撮影シーンにそれぞれ対応する複数の撮影条件が記憶された記憶手段と、前記複数の撮影シーンのいずれかを、画面上での選択操作により利用者に選択させる撮影シーン選択手段と、撮影時において、前記撮影シーン選択手段により選択された撮影シーンに対応する撮影条件を設定する撮影条件設定手段と、前記撮影条件設定手段により設定された撮影条件に基づき撮影された撮影画像、及び当該撮影条件に対応する前記撮影シーンを示す種別情報を互いに関連付けて記録する画像記録手段と、検索時において、前記撮影シーン選択手段により選択された撮影シーンを検索条件として設定する検索条件設定手段と、前記検索条件設定手段により検索条件として設定された撮影シーンを示す種別情報が関連付けて記録されている撮影画像を前記画像記録手段に記憶されている撮影画像の中から検索する検索手段とを備えたものとした。
【手続補正３】
【補正対象書類名】明細書
【補正対象項目名】０００７
【補正方法】変更
【補正の内容】
【０００７】
また、請求項２の発明にあっては、前記撮影シーン選択手段は、前記複数の撮影シーンにそれぞれ対応する複数の見本画像または説明文を画面上に表示させ、その内の任意の見本画像または説明文を選択させることにより、任意の撮影シーンを使用者に選択させるものとした。
【手続補正４】
【補正対象書類名】明細書
【補正対象項目名】０００８
【補正方法】変更
【補正の内容】
【０００８】
かかる構成においては、撮影シーンに対応する見本画像または説明文を介して検索キーとなる撮影シーンを選択することができる。
【手続補正５】
【補正対象書類名】明細書
【補正対象項目名】０００９
【補正方法】変更
【補正の内容】
【０００９】
また、請求項３の発明にあっては、前記撮影シーン選択手段は、撮影時と検索時とで同じ見本画像または説明文を、その並び順を変えて画面上に表示させるものとした。
【手続補正６】
【補正対象書類名】明細書
【補正対象項目名】００１０
【補正方法】削除
【補正の内容】
【手続補正７】
【補正対象書類名】明細書
【補正対象項目名】００１１
【補正方法】変更
【補正の内容】
【００１１】
また、請求項４の発明にあっては、前記撮影シーン選択手段は、前記画像記録手段に記録されている撮影画像の枚数を前記種別情報毎に取得する枚数取得手段を含み、前記記憶手段に記憶されている複数の見本画像または説明文を、前記枚数取得手段によって取得された種別情報毎の枚数順に画面上に表示させ、その内の任意の見本画像または説明文を選択させることにより、任意の撮影シーンを使用者に選択させるものとした。
【手続補正８】
【補正対象書類名】明細書
【補正対象項目名】００１２
【補正方法】変更
【補正の内容】
【００１２】
かかる構成においては、見本画像または説明文を介して検索キーとなる撮影シーンを選択するとき、撮影時における各撮影シーンの使用頻度の違いを自動的に知ることができる。
【手続補正９】
【補正対象書類名】明細書
【補正対象項目名】００１３
【補正方法】変更
【補正の内容】
【００１３】
また、請求項５の発明にあっては、前記画像記録手段には前記撮影画像に関連付けて当該撮影画像の撮影日を示す日付情報が記録され、前記撮影シーン選択手段は、前記画像記録手段に記録されている撮影画像の枚数を前記種別情報毎に、かつ前記日付情報により示される撮影日に基づき所定の期間毎に取得する枚数取得手段を含み、この枚数取得手段によって取得された枚数を、前記記憶手段に記憶されている複数の見本画像または説明文を行又は列の一方に配置しかつ前記所定の期間毎の撮影期間を行又は列の他方に配置した表内の対応する位置に配置した選択画面を表示させ、その選択画面において任意の見本画像または説明文を選択させることにより、任意の撮影シーンを使用者に選択させることにより、任意の撮影シーンを使用者に選択させるものとした。
【手続補正１０】
【補正対象書類名】明細書
【補正対象項目名】００１９
【補正方法】変更
【補正の内容】
【００１９】
また、請求項８の発明にあっては、前記複数の見本画像がそれぞれ対応する撮影シーンであって互いに類似する複数種の撮影シーンにそれぞれ対応する複数の代表見本画像を記憶する代表見本画像記憶手段を備え、前記撮影シーン選択手段は、前記代表見本画像記憶手段に記憶されている複数の代表見本画像を画面上に表示させ、その内の任意の代表見本画像を選択させることにより、複数種の撮影シーンを使用者に選択させ、前記検索手段は、撮影シーン選択手段により選択させた複数種の撮影シーンをそれぞれ示す種別情報が関連付けて記録されている撮影画像を前記画像記録手段に記憶されている撮影画像の中から検索するものとした。
【手続補正１１】
【補正対象書類名】明細書
【補正対象項目名】００２３
【補正方法】変更
【補正の内容】
【００２３】
また、請求項１０の発明にあっては、カメラ装置における撮影画像の検索方法であって、複数の撮影シーンのいずれかを、画面上での選択操作により利用者に選択させる撮影シーン選択工程と、撮影時において、前記撮影シーン選択工程により選択された撮影シーンに対応する撮影条件を設定する撮影条件設定工程と、前記撮影条件設定工程により設定された撮影条件に基づき撮影された撮影画像、及び当該撮影条件に対応する前記撮影シーンを示す種別情報を互いに関連付けて記録する画像記録工程と、検索時において、前記撮影シーン選択工程により選択された撮影シーンを検索条件として設定する検索条件設定工程と、前記検索条件設定工程により検索条件として設定された撮影シーンを示す種別情報が関連付けて記録されている撮影画像を前記画像記録工程により記録された撮影画像の中から検索する検索工程とを含む方法とした。
【手続補正１２】
【補正対象書類名】明細書
【補正対象項目名】００２５
【補正方法】変更
【補正の内容】
【００２５】
また、請求項１１の発明にあっては、カメラ装置が有するコンピュータに、複数の撮影シーンのいずれかを、画面上での選択操作により利用者に選択させる撮影シーン選択処理と、撮影時において、前記撮影シーン選択処理により選択された撮影シーンに対応する撮影条件を設定する撮影条件設定処理と、前記撮影条件設定処理により設定された撮影条件に基づき撮影された撮影画像、及び当該撮影条件に対応する前記撮影シーンを示す種別情報を互いに関連付けて記録する画像記録処理と、検索時において、前記撮影シーン選択処理により選択された撮影シーンを検索条件として設定する検索条件設定処理と、前記検索条件設定処理により検索条件として設定された撮影シーンを示す種別情報が関連付けて記録されている撮影画像を前記画像記録処理により記録された撮影画像の中から検索する検索処理とを実行させるためのプログラムとした。
【手続補正１３】
【補正対象書類名】明細書
【補正対象項目名】００２６
【補正方法】変更
【補正の内容】
【００２６】
また、請求項１２の発明にあっては、画像記録手段に記録されている、撮影により取得した複数の撮影画像の中から所望の撮影画像を検索する画像検索装置において、予め用意されている複数種の撮影シーンの中から任意の撮影シーンを使用者に選択させる撮影シーン選択手段と、この撮影シーン選択手段により選択させた撮影シーンを示す種別情報であって、各々の撮影画像の撮影時に、予め複数用意されている中から見本画像または説明文を介して選択された撮影時の撮影条件に対応する所定の撮影シーンを示す種別情報が関連付けて記録されている撮影画像を、前記画像記録手段に記憶されている複数の撮影画像の中から検索する検索手段とを備えたものとした。